(57)【要約】【課題】筺体の厚み寸法に関係なく端子カバーが設置でき、端子カバーの一部を筺体を重ね合わせた時のストッパとして機能させることにより対向面の傷付きを防止でき、且つ部品点数を削減して小型化に対応できるようにする。【解決手段】２つの筺体３，６を重ね合わせ可能に連結部を介して連結してなり、一方の筺体３の端面には端子９を備えると共に、端子９を保護する端子カバー１５を具備した電子機器において、端子カバー１５は、端子９を被うカバー本体１６と、カバー本体１６より延びる舌部１９とを有し、舌部１９は他方の筺体６の重ね合わせ時に対向する一方の筺体３の対向面３Ａ上まで延設し、舌部１９を折り畳み時のストッパとする。【選択図】        図５
2005051398.tif 000002
【特許請求の範囲】
【請求項１】
２つの筺体を重ね合わせ可能に連結部を介して連結してなり、前記一方の筺体の端面には端子を備えると共に、前記端子を保護する端子カバーを具備した電子機器において、前記端子カバーは、前記端子を被うカバー本体と、該カバー本体より延びる舌部とを有し、前記舌部は他方の筺体の重ね合わせ時に対向する一方の筺体の対向面上まで延設し、前記舌部を重ね合わせ時のストッパとしたことを特徴とする電子機器。
【請求項２】
前記舌部は前記一方の筺体の対向面に突出する取付ねじのキャップを兼ねていることを特徴とする請求項１に記載の電子機器。
【請求項３】
前記一方の筺体の対向面には前記舌部が嵌合される凹溝を有することを特徴とする請求項１又は請求項２に記載の電子機器。
【発明の詳細な説明】
【０００１】
【発明の属する技術分野】
本発明は、携帯電話機、ＰＤＡ（Ｐｅｒｓｏｎａｌ  Ｄｉｇｉｔａｌ  Ａｓｓｉｓｔａｎｔ）、ノートパソコン等の電子機器、特に移動通信メディアに使用される折り畳み型電子機器に関する。
【０００２】
【従来の技術】
携帯端末装置の一例である携帯電話機には、操作部（操作キー）、マイクからなる送話部、スピーカからなる受話部、表示部、及びアンテナを備えたものが知られている。
【０００３】
このような携帯端末装置においては、携帯の利便性を高めるために端末装置全体の小型化、薄肉化が要求されており、このため、図８〜図１０に示す如き折り畳み型携帯端末装置が用いられている。図８は従来の電子機器の一例である重ね合わせ型携帯電話機の開いた状態を示す斜視図、図９は重ね合わせ型携帯電話機の閉じた状態を示す一部破断側面図、図１０は図９のＸ部を拡大した断面図である。
【０００４】
図８〜図１０に示す重ね合わせ型携帯電話機は、操作部１及び送話部２を有する第１筺体３と、表示部４及び受話部５を有する第２筺体６とが連結部７（ヒンジ）により折り畳み自在に枢支された構成を有する。上記重ね合わせ型携帯電話機によれば、折り畳んだ状態とすることにより携帯時における小型化を図ることができ、更に第１筺体３と第２筺体６とを折り畳んだ時に対向する対向面３Ａ，６Ａに操作部１と表示部４を配置することで、操作部１の誤操作や表示部４及び操作部１の傷付きを防止することができる。また、使用時においては広い面積の操作部１及び表示部４を確保できる。
【０００５】
ところで、前記重ね合わせ型携帯電話機においては、例えば図１０に示す如く第１筺体３の端面に端子を差込むための開口部８を設け、該開口部８の内部に、電源の充電用端子やコンピュータ等の機器に接続する情報入出端子等のコネクタ９（端子）を設けたものがあり、この開口部８の内部に塵などが侵入するのを防止するために、開口部８に開閉可能な端子カバー１０を設けたものがある。
【０００６】
このような端子カバーとしては、該端子カバーが弾性変形する舌片部を備え、端子カバーを開口に押込むと、差込まれた舌片部が筺体に設けたボスにより変形して該ボスと嵌合し、これにより端子カバーが筺体に取り付けられて開口を閉塞するようにしたものが特許文献１に示されている。
【０００７】
又、端子カバーが筺体に設けた案内溝に嵌合可能な舌片を備え、舌片を案内溝に嵌合させて端子カバーをスライドさせることにより開口を開閉できるようにしたものが特許文献２に示されている。
【０００８】
更に、端子カバーをヒンジ部を介して筺体に開閉自在に連結したものが特許文献３に示されている。
【０００９】
一方、前記第１筺体３及び第２筺体６は、図１０に示すように合成樹脂製の二つ割れ構造の内側ケース３０ａと外側ケース３０ｂ、及び内側ケース６０ａと外側ケース６０ｂにより夫々形成されており、二つ割れ構造のケース３０ａ，３０ｂ、６０ａ，６０ｂは内部に電子部品を搭載した回路基板１１等を収容した状態で、取付ねじ１２による締め付けによって締結されている。具体的には取付ねじ１２が第１筺体３の外側ケース３０ｂの外部から挿入され、内側ケース３０ａに形成したボス部１３に螺合し、内側ケース３０ａと外側ケース３０ｂを締結している。このとき、取付ねじ１２は対向面３Ａから突出しない長さとなっている。
【００１０】
また、このような携帯電話機においては、第１筺体３と第２筺体６を回動操作して折り畳んだ際に、第１筺体３の対向面３Ａの操作部１と、第２筺体の対向面６Ａの表示部４とが衝突して表示部４を傷付ける虞れがあるため、対向面３Ａ，６Ａであって操作部１及び表示部４以外の部分に凸部１４を設けて該凸部１４を当接させることにより表示部４及び操作部１が傷付くのを防止するようになっている。
【００１１】
【特許文献１】
特開２００１−２１０９７２号公報
【特許文献２】
特開平１０−６４６１５号公報
【特許文献３】
特開２００２−１９０３４９号公報
【００１２】
【発明が解決しようとする課題】
ところで、近年、電話機は小型化、薄型化が要求されており、折り畳み型携帯端末装置においては、筺体を折り畳んだ状態での厚み寸法が１８ｍｍを下まわるような薄型のものが提案されている。
【００１３】
このように携帯端末装置が薄型化すると、特許文献１に示す端子カバーでは、筺体の肉厚やコネクタ（端子）の厚みのために舌部を挿入するためのスペースを確保することが難しいという課題があり、更に端子カバーは非常に小さい形状を有し、しかもコネクタに端子を接続する際には端子カバーを筺体から取り外すために、この着脱操作時に端子カバーを紛失し易い問題がある。
【００１４】
特許文献２に示す端子カバーでは、筺体ケースの肉厚も薄くなることから、舌部が嵌合してスライドできる案内溝を筺体に形成することは難しくなり、しかもこの場合もコネクタに端子を接続する際には端子カバーを筺体から取り外すために、この着脱操作時に端子カバーを紛失し易い問題がある。
【００１５】
又、特許文献３に示す端子カバーでは、筺体端面の小さなスペースにヒンジ部によって端子カバーを取り付けることことが難しいという問題がある。
【００１６】
【発明の目的】
本発明は、上記実情に鑑みてなしたもので、筺体の厚み寸法に関係なく端子カバーを設置でき、端子カバーの一部を筺体を重ね合わせた時のストッパとして機能させることにより対向面の表示部や操作部の傷付きを防止し、且つ部品点数を削減して小型化に対応できるようにした電子機器を提供することを目的とするものである。
【００１７】
【課題を解決するための手段】
請求項１に記載の発明は、２つの筺体を重ね合わせ可能に連結部を介して連結してなり、前記一方の筺体の端面には端子を備えると共に、前記端子を保護する端子カバーを具備した電子機器において、前記端子カバーは、前記端子を被うカバー本体と、該カバー本体より延びる舌部とを有し、前記舌部は他方の筺体の重ね合わせ時に対向する一方の筺体の対向面上まで延設し、前記舌部を重ね合わせ時のストッパとしたことを特徴とする電子機器、に係るものである。
【００１８】
請求項２に記載の発明は、請求項１に記載の電子機器において、前記舌部を前記一方の筺体の対向面に突出する取付ねじのキャップとして兼用させたことを特徴とする。
【００１９】
請求項３に記載の発明は、請求項１又は請求項２に記載の電子機器において、前記一方の筺体の対向面に前記舌部が嵌合される凹溝を設けたことを特徴とする。
【００２０】
【発明の実施の形態】
以下、本発明の実施の形態を添付図面を参照して説明する。
【００２１】
図１〜図７は本発明の電子機器の一例である重ね合わせ型携帯電話機を例にとって示したものであり、図１は本発明の電子機器に備える端子カバーの斜視図、図２は重ね合わせ型携帯電話機より図１の端子カバーを取り外した状態を示す分解斜視図、図３は重ね合わせ型携帯電話機に図１の端子カバーを取り付ける際の要部を示す一部破断側面図、図４は重ね合わせ型携帯電話機に図１の端子カバーを取り付けた状態を示す斜視図、図５は重ね合わせ型携帯電話機に図１の端子カバーを取り付けた状態の要部を示す一部破断側面図、図６は重ね合わせ型携帯電話機に備える端子カバーを開いたときの状態を示す斜視図、図７（ａ）は端子カバーの他の形態例を示す斜視図、図７（ｂ）は同図（ａ）のＡ−Ａ線断面図である。また、図中、図８〜図１０と同一部分については同一の符号を記す。
【００２２】
この重ね合わせ型携帯電話機は、図２に示すように、矩形状の第１筺体３と矩形状の第２筺体６とを連結部７（ヒンジ）により折り畳み自在に枢支可能に連結したもので、折り畳んだ際に第２筺体６と対向する第１筺体３の対向面３Ａには、操作キー等からなる操作部１及びマイクロフォンからなる送話部２を備え、また、折り畳んだ際に第１筺体３と対向する第２筺体６の対向面６Ａには、表示部４及びスピーカからなる受話部５を備えている。
【００２３】
その為、２つの筺体３，６を折り畳んで互いに重ね合わせた状態では、携帯時における小型化を図ることができると共に、操作部１の誤操作や表示部４及び操作部１の傷付きを防ぐことができ、また、筺体６の対向面６Ａの面積を大きくできるため、表示面積の大きな表示部４を搭載することができ、視認性を向上させることができる。
【００２４】
また、この重ね合わせ型携帯電話機の第１筺体３の端面には開口部８を備え、この開口部８内には、図３に示す如く電源の充電用端子やコンピュータ等の機器と接続するための情報入出力端子等の各種端子と接続するためのコネクタ９（端子）が配置されており、このコネクタ９（端子）は第１筺体３内に設けられた回路基板１１と電気的に接続されている。
【００２５】
また、第１筺体３の端面には、前記開口部８を閉塞してコネクタ９（端子）に塵や埃が付着しないように保護するための端子カバー１５を配置するようになっている。
【００２６】
この端子カバー１５は、合成樹脂やゴムなどの可撓性材料にて形成され、図１に示す如く、第１筺体３の幅方向に細長く形成される開口部８を閉塞する細長い板形状のカバー本体１６を備え、該カバー本体１６の内面（第１筺体３の端面に対向する面）には、前記開口部８に嵌合する嵌合凸部１７を備えると共に、前記カバー本体１６の外面（内面と反対側の面）には、カバー本体１６を開口部８から取り外す際に爪を引っ掛けるための引っ掛け用凸部１８を設けてある。
【００２７】
また、前記カバー本体１６の長手方向と直角の方向に延設された舌部１９が一体に形成されており、各舌部１９の先端部２１下面には凹状の嵌合部２０が形成され、後述する取付ねじ２２のキャップとして機能するようになっている。
【００２８】
一方、図２、図３に示す如く、筺体３の端面近傍には、内側ケース３０ａと外側ケース３０ｂを締結する取付ねじ２２を通すための貫通したねじ孔２３が内側ケース３０ａに形成されたボス部１３に設けられている。更に詳細には、図２に示すように、外側ケース３０ｂの外面には取付ねじ２２の頭部が嵌合する凹部２４が形成してあり、又、内側ケース３０ａの対向面３Ａには、端子カバー１５の舌部１９の先端部２１が嵌合する凹部２５が形成してあり、ケース３０ａ，３０ｂの締結を行った取付ねじ２２の先端は前記凹部２５の中心より突出するようになっている。
【００２９】
更に、前記凹部２５と、開口部８を有する第１筺体３の端面との間における対向面３Ａには、図２、図３に示す如く、前記端子カバー１５の舌部１９が嵌合する凹溝２６を形成している。この凹溝２６は前記舌部１９の厚さ寸法より小さい深さで形成してあり、舌部１９を凹溝２６に嵌合させると、図５に示す如く、舌部１９の厚さの一部が凹溝２６から突出するようにしてある。
【００３０】
上記した端子カバー１５は、図１、図３に示すように舌部１９の上面が平坦面になるように形成されていてもよく、又、図７に示すように舌部１９の先端部２１の上面が他の部分より半球状に突出するように形成されていてもよい。
【００３１】
以下に、上記形態の作用を説明する。
【００３２】
図３に示すように、第１筺体３を構成する内側ケース３０ａと外側ケース３０ｂを合わせた状態で、外側ケース３０ｂの外側から取付ねじ２２を内側ケース３０ａに設けたボス部１３のねじ孔２３に螺合することにより内側ケース３０ａと外側ケース３０ｂとを一体に締結する。この締結により取付ねじ２２の先端は凹部２５の中心より突出する。このように、外側ケース３０ｂの外側からボス部１３のねじ孔２３に螺合させて締結を行う取付ねじ２２が、内側ケース３０ａの対向面３Ａ側に突出するようにしたので、筺体３の厚み寸法を小さくしても、ボス部１３に螺合させる取付ねじ２２のネジ代を有効に確保して締結強度を保持できる。
【００３３】
次に、端子カバー１５の舌部１９の先端部２１を、対向面３Ａに形成された前記凹部２５に嵌合する（図２、図５参照）。この嵌合により、先端部２１の下面に形成した嵌合部２０が凹部２５より突出している取付ねじ２２の先端に嵌合する。このとき、前記先端部２１の嵌合部２０は、取付ねじ２２の先端に押込んで嵌合すると、簡単には取り外せない強さで取り付けられるようにしてある。更に、前記端子カバー１５の舌部１９を対向面３Ａに形成した凹溝２６に嵌合する。このとき、凹溝２６は前記舌部１９の厚さ寸法より小さい深さで形成してあるので、舌部１９の上面は対向面３Ａから突出している。
【００３４】
上記により、端子カバー１５は、図４、図５に示す如く舌部１９の先端部２１が取付ねじ２２の先端に固定され、舌部１９が凹溝２６に嵌合された状態で第１筺体３に取り付けられる。
【００３５】
そして、第１筺体３に取り付けられた端子カバー１５のカバー本体１６を第１筺体３の端面に向かって押してカバー本体１６の嵌合凸部１７を開口部８に嵌合すると、図４、図５に示す如く端子カバー１５によりコネクタ９（端子）の開口部８が閉塞される。
【００３６】
図４、図５の閉塞状態からコネクタ９に端子を接続する際には、カバー本体１６外面の引っ掛け用凸部１８を爪で上向きに引き上げ、更に舌部１９との付根部を弾性変形させて湾曲させることで開口部８から嵌合凸部１７が外れて、図６の如くコネクタ９（端子）を外部に露出させることができる。
【００３７】
上記した如く、舌部１９の先端部２１を取付ねじ２２のキャップとして用いるようにしたことによって、端子カバー１５による開口部８の開閉操作を行う際に端子カバー１５を外す必要がなく、紛失の問題を防止できる。
【００３８】
また、図３に示すように、端子カバー１５の舌部１９を第１筺体３の対向面３Ａ上にまで延設し、更に、舌部１９の上面を対向面３Ａより突出するようにしたことから、第１筺体３と第２筺体６を折り畳んだ際に第２筺体６の対向面６Ａに前記舌部１９の上面を当接させてストッパとして機能させることができる。
【００３９】
なお、図７に示した端子カバー１５を用いれば、舌部１９の先端部２１が第２筺体６の対向面６Ａに当接してストッパとして作用する。
【００４０】
上記したように、端子カバー１５の舌部１９を、２つの筺体３，６を折り畳んだ際のストッパとして機能させるようにしたので、表示部４や操作部１の傷付きを防止できると共に、部品点数が削減できるため携帯端末装置の小型化に対応できるようになる。また、第１筺体３の厚み寸法を薄くして取付ねじ２２の先端が第１筺体３の対向面３Ａに突出しても、端子カバー１５の舌部１９をキャップとして用いたことにより、取付ねじ２２によって第２筺体６の対向面６Ａを傷付けることがない。更に、第１筺体３の対向面３Ａに舌部１９が嵌合する凹溝２６を設けたので、第１筺体３に対し端子カバー１５が安定に取り付けられる。
【００４１】
なお、本発明は、端子カバーを有するものであれば上記携帯電話機以外にもＰＤＡやノートパソコン等の種々の電子機器に適用できること、舌部及びキャップには種々の形状のものが採用できること、その他本発明の要旨を逸脱しない範囲内において種々変更を加え得ることは勿論である。
【００４２】
【発明の効果】
本発明の電子機器によれば、筺体の厚み寸法に関係なく端子カバーを設けることができ、更に、端子カバーの一部を筺体を折り畳んだ際のストッパとして機能させることから、表示部や操作部等の傷付きを防止できると共に部品点数を削減して小型化に好適に対応できる。
【図面の簡単な説明】
【図１】図１は本発明の電子機器に備える端子カバーの斜視図である。
【図２】本発明の電子機器の一例である重ね合わせ型携帯電話機より図１の端子カバーを取り外した状態を示す分解斜視図である。
【図３】本発明の電子機器の一例である重ね合わせ型携帯電話機に図１の端子カバーを取り付ける際の要部を示す一部破断側面図である。
【図４】本発明の電子機器の一例である重ね合わせ型携帯電話機に図１の端子カバーを取り付けた状態を示す斜視図である。
【図５】本発明の電子機器の一例である重ね合わせ型携帯電話機に図１の端子カバーを取り付けた状態の要部を示す一部破断側面図である。
【図６】本発明の電子機器の一例である重ね合わせ型携帯電話機に備える端子カバーを開いたときの状態を示す斜視図である。
【図７】端子カバーの他の形態例を示す図で、（ａ）は斜視図、（ｂ）は（ａ）のＡ−Ａ線断面図である。
【図８】従来の電子機器の一例である重ね合わせ型携帯電話機の開いた状態を示す斜視図である。
【図９】従来の電子機器の一例である重ね合わせ型携帯電話機の閉じた状態を示す一部破断側面図である。
【図１０】図９のＸ部を拡大した断面図である。
【符号の説明】
３    第１筺体
３Ａ                対向面
６    第２筺体
６Ａ                対向面
７    連結部
８    開口部
９    コネクタ（端子）
１５    端子カバー
１６    カバー本体
１９    舌部
２１    先端部
２２    取付ねじ
２６    凹溝
【図１】
2005051398.tif 000003
【図２】
2005051398.tif 000004
【図３】
2005051398.tif 000005
【図４】
2005051398.tif 000006
【図５】
2005051398.tif 000007
【図６】
2005051398.tif 000008
【図７】
2005051398.tif 000009
【図８】
2005051398.tif 000010
【図９】
2005051398.tif 000011
【図１０】
2005051398.tif 000012